(57)【要約】【課題】  係止部材を簡便に操作するための操作部を有するブラケット装置。【解決手段】  ブラケット装置は、ブラケット、取付部材及び係止部材を含む。ブラケットは、第１端部及び第２端部を含む。第１端部と第２端部との間には、空間が画成されている。取付部材は、ブラケットの第１端部に隣接して配置されている。取付部材は、空間内に位置する取付部を有する。係止部材は、ブラケット上に配置され、係止部及び操作部を含む。ここで、係止部材の係止部は、ブラケットの空間内のある位置に位置するように保持される。係止部材の係止部は、係止部材の操作部の操作に応じて、その位置から離れるように動かされることができる。ここで、係止部材の操作部は、ブラケットの空間内に位置しない。【選択図】  図２
2018008014.tif 000002
【特許請求の範囲】
【請求項１】
第１端部及び第２端部を有し、前記第１端部と前記第２端部との間に空間が画成されている、ブラケット、
前記ブラケットの前記第１端部に隣接して配置された取付部材であり、当該取付部材は、前記ブラケットの前記空間内に位置する取付部を有する、取付部材、及び
前記ブラケット上に配置され、係止部及び操作部を有する係止部材であり、当該係止部材の前記係止部は、前記ブラケットの前記空間内の係止位置に位置するように保持され、当該係止部材の前記係止部は、当該係止部材の前記操作部の操作に応じて、前記係止位置から離れるように動かされることができる、係止部材、
を有し、
前記係止部材の前記操作部は、前記ブラケットの前記空間内に位置しない、
ブラケット装置。
【請求項２】
前記ブラケットは、サイドプレート及び前記サイドプレートに対して曲がったエンドプレートを有し、前記取付部材は、前記エンドプレートを貫通する、請求項１に記載のブラケット装置。
【請求項３】
弾性部材を更に有し、前記係止部材は、前記弾性部材によって与えられる弾性力に応じて前記係止位置に保持される、請求項１に記載のブラケット装置。
【請求項４】
前記ブラケットは係合機構を有し、前記係止部材が前記係止位置に位置している場合に、前記係止部は前記係合機構に当接するように構成されている、請求項１に記載のブラケット装置。
【請求項５】
前記係合機構及び前記係止部のうちの一つは、フックである、請求項４に記載のブラケット装置。
【請求項６】
前記係止部材は、前記ブラケットの前記サイドプレートに移動可能に取り付けられており、前記係止部材の阻止部は、前記係止部材が前記係止位置に位置している場合に前記ブラケットの前記エンドプレートに面しており、前記係止部材の前記阻止部は、前記係止部材が前記係止位置から離れている場合に前記ブラケットの前記エンドプレートに面していない、請求項２に記載のブラケット装置。
【請求項７】
スライドレールのためのブラケット装置であり、
ブラケット、
前記ブラケットに付属するベースであり、当該ベースは、後部及び前部を有する、ベース、
前記ベースの前記後部に隣接する、取付部材、及び
操作部を有する係止部材であり、前記操作部は、当該係止部材を第１位置から第２位置に動かすために操作されるように構成されており、前記操作部の一部分は、前記ベースに隣接し且つ前記ベースの前記後部と前記前部との間に位置しており、当該係止部材は、当該係止部材が前記第１位置に位置している場合に当該ブラケット装置をポストに係止するように構成されている、係止部材、
を有する、ブラケット装置。
【請求項８】
前記ブラケットは、サイドプレート及び前記サイドプレートに対して曲がったエンドプレートを有し、前記取付部材は、前記エンドプレートを貫通する、請求項７に記載のブラケット装置。
【請求項９】
前記係止部材及び前記操作部は、一つのピースに一体的に形成されている、請求項７に記載のブラケット装置。
【請求項１０】
前記係止部材及び前記操作部は、一つのピースに一体的に形成されていない、請求項７に記載のブラケット装置。
【請求項１１】
弾性部材を更に有し、前記係止部材は、前記弾性部材によって与えられる弾性力に応じて前記第１位置に保持される、請求項７に記載のブラケット装置。
【請求項１２】
前記ブラケットは係合機構を有し、前記係止部材は係止部を更に有し、前記係止部材が前記第１位置に位置している場合に、前記係止部は前記係合機構に当接するように構成されている、請求項７に記載のブラケット装置。
【請求項１３】
前記係合機構及び前記係止部のうちの一つは、フックである、請求項１２に記載のブラケット装置。
【請求項１４】
前記係止部材は、前記ブラケットの前記サイドプレートに移動可能に取り付けられており、前記係止部材の阻止部は、前記係止部材が前記第１位置に位置している場合に前記ブラケットの前記エンドプレートに面しており、前記係止部材の前記阻止部は、前記係止部材が前記第１位置から離れている場合に前記ブラケットの前記エンドプレートに面していない、請求項８に記載のブラケット装置。
【請求項１５】
スライドレールをポストに取り付けるように構成されたブラケット装置であって、前記ポストは穴を有し、当該ブラケット装置は、
ブラケット、
前記ブラケットに付属するベースであり、当該ベースは、後部及び前部を有する、ベース、
前記ベースの前記後部に隣接する取付部材であり、当該取付部材は、前記ポストの後ろにあるように、前記ポストの前記穴を貫通するように構成されている、取付部材、及び
操作部及び阻止部を有する係止部材であり、前記操作部は、当該係止部材を前記ブラケットに対して第１位置から第２位置に動かすために操作されるように構成されており、当該係止部材の前記阻止部は、前記係止部材が前記第１位置に位置している場合に前記ポストに面しており、前記係止部材の前記阻止部は、前記係止部材が前記第２位置に位置している場合に前記ポストに面していない、係止部材、
を有し、
前記操作部の前端は、前記ポストの前にあるように、前記ベースの前記後部から離れている、
ブラケット装置。
【請求項１６】
前記ブラケットは、サイドプレート及び前記サイドプレートに対して曲がったエンドプレートを有し、前記取付部材は、前記エンドプレートを貫通する、請求項１５に記載のブラケット装置。
【請求項１７】
弾性部材を更に有し、前記係止部材は、前記弾性部材によって与えられる弾性力に応じて前記第１位置に保持される、請求項１５に記載のブラケット装置。
【請求項１８】
前記係止部材は係止部を更に有し、前記ブラケットは係合機構を有し、前記係止部材が前記第１位置に位置している場合に、前記係止部は前記係合機構に当接するように構成されている、請求項１５に記載のブラケット装置。
【請求項１９】
前記係合機構及び前記係止部のうちの一つは、フックである、請求項１８に記載のブラケット装置。
【請求項２０】
前記係止部材は、前記ブラケットの前記サイドプレートに移動可能に取り付けられている、請求項８に記載のブラケット装置。
【発明の詳細な説明】
【技術分野】
【０００１】
本発明はブラケット装置に関し、より具体的には、スライドレールをラックに取り付けるように構成されたブラケット装置に関する。
【背景技術】
【０００２】
米国特許第７，５５２，８９９Ｂ２号明細書は、支持部（５）の複数の穴に、支持部（５）の前から後ろに向かって挿入されるように構成された複数のサスペンションブロック（２）を有し、支持部（５）が固定部材（３）によって係止されることができるスライドブラケットを開示する。そのようにして、スライドブラケットは、支持部（５）に取り付けられることができる。ここで、使用者は、係止解除状態になるように固定部材（３）を動作可能に動かすために、解放部材（４）が支持部（５）の後ろに延びることを可能にするように、支持部（５）の前から穴（５１）を貫通するように解放部材（４）を保持することができる。したがって、スライドブラケットは、支持部（５）から取り外されることができる。
【０００３】
米国特許第７，６９４，９２６Ｂ２号明細書は、取付ブラケット（mounting  bracket）を開示する。本事例の図４Ａ乃至図４Ｃに示されるように、取付ブラケット（２００，２０２）は、サイドプレート（２０４）及びエンドプレート（２１０）を有する。エンドプレート（２１０）は、ピン（２１０）を有する。据え付けの間に、使用者は、ピン（２１０）を支柱（１０４）の穴（１０６）に挿入するために、支柱（１０４）の前から後ろに向かう方向に沿って、力を加えることができる。支柱（１０４）の一端が板バネ（２１４）を過ぎて延びる場合に、板バネ（２１４）は、付勢されていない位置に戻り、支柱（１０４）に当たる。そのうえに、本事例の図４Ｄ乃至図４Ｅに示されるように、取付ブラケット（２００，２０２）が支柱（１０４）から取り外されることができるように、操作部（２２８）に板バネ（２１４）をサイドプレート（２０４）に向かって付勢させるために、手動端（２２６）が支柱（１０４）の後ろで操作されることができる。
【０００４】
米国特許第８，３２８，３００Ｂ２号明細書は、スライドレールのための取付器具を開示する。取付器具は、取付ブラケット（１０）及びクリップ部材（３０）を有する。取付ブラケット（１０）は、スライドレール（１００）に取り付けられ、長いスライド部分（１２）及びエンドプレート（１４）を有する。エンドプレート（１４）には、取付ブラケット（１０）の後ろに向かって、二本の挿入ピン（１４２）が配置されている。ここで、クリップ部材（３０）は、ポスト（８０）を係止するように構成された阻止（stopping）区分（３３）を有する。クリップ部材（３０）は、阻止区分（３３）を操作して動かすように構成された接触部分（３１５）又は操作部分を有し、接触部分（３１５）又は操作部分は、ポスト（８０）の後ろにある。
【０００５】
米国特許出願公開第２０１５／００６９１９６Ａ１号明細書は、スライドアセンブリのための取付ブラケットを開示する。取付ブラケットは、取付ブラケット（３４）及び阻止具（４６）を有する。ここで、取付ブラケット（３４）は、側壁（４２）及び端壁（４４）を有する。端壁（４４）には、ブラケット（３４）の後ろに向かって、二本の据付部材（５０）が配置されている。ここで、阻止具（４６）は、ポスト（２２）を係止又はブロックするように構成された端部分（８４）を有する。ここで、端部分（８４）は、阻止具（４６）の中央部分（７４）又は操作部分の操作に応じて、開放されてポスト（２２）を係止解除することができる。阻止具（４６）の中央部分（７４）又は操作部分は、ポスト（２２）の後ろにある。
【０００６】
以上の説明に照らして、事例のそれぞれにおいて開示されるブラケットは、サスペンションフック又はピンのような、ポストの前から後ろに向かう方向に沿ってポストの穴に挿入されるように構成された取付部材を有し、ブラケット上の係止部材（又はブロック部材）は、ポストを係止（又はポストに当たる）することができる。しかしながら、ポストを係止するための係止部材（又はブロック部材）及びポストを係止解除するための操作部分を、ポストの後ろに配することが、共通の設計となった。それにより、限られた空間にある場合に、そのような種類のポストの後ろにあるブラケットからポストを係止解除することが難しい。したがって、工具を使用することなく、ポストの前にあるブラケットから、使用者がポストを直接的に係止解除することを可能にするブラケットを提供することが重要である。
【先行技術文献】
【特許文献】
【０００７】
【特許文献１】米国特許第７，５５２，８９９Ｂ２号明細書
【特許文献２】米国特許第７，６９４，９２６Ｂ２号明細書
【特許文献３】米国特許第８，３２８，３００Ｂ２号明細書
【特許文献４】米国特許出願公開第２０１５／００６９１９６Ａ１号明細書
【発明の概要】
【課題を解決するための手段】
【０００８】
本発明は、係止部材を簡便に操作するための操作部を有するブラケット装置に関する。
【０００９】
本発明の一つの実施形態によれば、ブラケット装置は、第１端部及び第２端部を有し、第１端部と第２端部との間に空間が画成されている、ブラケット；ブラケットの第１端部に隣接して配置された取付部材であり、取付部材は、ブラケットの空間内に位置する取付部を有する、取付部材；及び、ブラケット上に配置され、係止部及び操作部を有する係止部材（locking  member）であり、係止部材の係止部は、ブラケットの空間内の係止位置に位置するように保持され、係止部材の係止部は、係止部材の操作部の操作に応じて、係止位置から離れるように動かされることができる、係止部材；を有し、係止部材の操作部は、ブラケットの空間内に位置しない。
【００１０】
本発明の他の実施形態によれば、スライドレールのためのブラケット装置は、ブラケット、ベース、取付部材、及び係止部材を有する。ベースは、ブラケットに付属している（attached）。ベースは、後部及び前部を有する。取付部材は、ベースの後部に隣接する。係止部材は、係止部材を第１位置から第２位置に動かすために操作されるように構成された操作部を有する。ここで、操作部の一部分は、ベースに隣接し且つベースの後部と前部との間に位置している。係止部材は、係止部材が第１位置に位置している場合にブラケット装置をポストに係止するように構成されている。
【００１１】
本発明の更に他の実施形態によれば、スライドレールをポストに取り付けるように構成されたブラケット装置が開示される。ポストは、穴を有する。ブラケット装置は、ブラケット、ベース、取付部材及び係止部材を有する。ベースは、ブラケットに付属している。ベースは、後部及び前部を有する。取付部材は、ベースの後部に隣接する。取付部材は、ポストの後ろにあるように、ポストの穴を貫通するように構成されている。係止部材は、操作部及び阻止部を有する。操作部は、係止部材をブラケットに対して第１位置から第２位置に動かすために操作されるように構成されている。ここで、係止部材の阻止部は、係止部材が第１位置に位置している場合にポストに面しており；係止部材の阻止部は、係止部材が第２位置に位置している場合にポストに面していない。ここで、操作部の前端は、ポストの前にあるように、ベースの後部から離れている。
【００１２】
好ましくは、ブラケットは、サイドプレート及びサイドプレートに対して曲がったエンドプレートを有し、取付部材は、エンドプレートを貫通する。
【００１３】
好ましくは、係止部材及び操作部は、一つのピースに一体的に形成されている。
【００１４】
好ましくは、係止部材及び操作部は、一つのピースに一体的に形成されていない。
【００１５】
好ましくは、ブラケット装置は、弾性部材を更に有し、係止部材は、弾性部材によって与えられる弾性力に応じて第１位置に保持される。
【００１６】
好ましくは、ブラケットは係合機構を有し、係止部材は係止部を更に有し、係止部材が係止位置に位置している場合に、係止部は係合機構に当接するように構成されている。
【００１７】
好ましくは、係合機構及び係止部のうちの一つは、フックである。
【００１８】
好ましくは、係止部材は、ブラケットのサイドプレートに移動可能に取り付けられており、係止部材の阻止部は、係止部材が第１位置に位置している場合にブラケットのエンドプレートに面しており（faces  toward）；係止部材の阻止部は、係止部材が第１位置から離れている場合にブラケットのエンドプレートに面していない。
【００１９】
これら及び他の本発明の対象は、間違いなく、以下に続く、様々な図面に示される好ましい実施形態の詳細な説明を読んだ後に、当業者にとって明らかになるであろう。
【図面の簡単な説明】
【００２０】
【図１】それぞれ本発明の一つの実施形態による、３つの筐体を支えるための、ラックに取り付けられた３対のスライドレールアセンブリを示す図である。
【００２１】
【図２】本発明の一つの実施形態によるブラケット装置の分解図である。
【００２２】
【図３】第１の視る角度から図２のブラケット装置を示す図である。
【００２３】
【図４】第２の視る角度から図２のブラケット装置を示す図である。
【００２４】
【図５】本発明の一つの実施形態によるブラケット装置を介してラックのポストに取り付けられたスライドレールを示す図である。
【００２５】
【図６】本発明の一つの実施形態によるブラケット装置を介してラックのポストに取り付けられたスライドレールを示す図であり、ブラケット装置の係止部材が第１位置に位置している。
【００２６】
【図７】操作部の操作に応じて第２位置に位置している、図６のブラケット装置の係止部材を示す図である。
【００２７】
【図８】ポストを取り外し可能な形態の、図７のブラケット装置を示す図である。
【００２８】
【図９】本発明の一つの実施形態による操作部及び係止部材の分解図である。
【００２９】
【図１０】図９の操作部及び係止部材のアセンブリを示す図である。
【発明を実施するための形態】
【００３０】
図１は、ラック２２に取り付けられている３対のスライドレールアセンブリ２０を示す図である。具体的には、ラック２２は、一対の第１ポスト２４ａ及び一対の第２ポスト２４ｂを有する。スライドレールアセンブリ２０のそれぞれは、第１レール２６及び第１レール２６に対して移動可能な第２レール２７を有する。ここで、第１レール２６の二つの部分が、それぞれ第１ブラケット装置２８及び第２ブラケット装置３０を介して、第１ポスト２４ａ及び第２ポスト２４ｂに取り付けられる。支えられる物体３２は、第２レール２７に取り付けられることができる。支えられる物体３２は、電子機器の筐体又は引き出しであってもよい。支えられる物体３２は、（図１に示される状態のように）ラック２２の内側に位置してもよく、或いは、支えられる物体３２は、第１レール２６に対して第２レール２７を動かすことによってラック２２から引き出されてもよい。
【００３１】
図２及び図３に示されるように、第１ブラケット装置２８（以下、ブラケット装置２８と呼ばれる）は、ブラケット３４、少なくとも一つの取付部材３６、及び係止部材３８を有する。
【００３２】
ブラケット３４は、サイドプレート４２を有する。好ましくは、ブラケット３４は、サイドプレート４２に対して曲がったエンドプレート４４を更に有する。本実施形態において、サイドプレート４２は、エンドプレート４４に対して実質的に垂直に接続されている。ブラケット３４は、第１端部４３ａ、及び第１端部４３ａの反対側の第２端部４３ｂを有する。第１端部４３ａと第２端部４３ｂとの間に、空間４５が画成されている。加えて、サイドプレート４２には、開口４６、開口４６に隣接する少なくとも一つの耳状部４８、及び接続部５０が形成されている。本実施形態において、サイドプレート４２には、二つの耳状部４８が形成されている。二つの耳状部４８は、開口４６の二辺に位置している。耳状部４８のそれぞれは、サイドプレート４２に対して曲がっている。本実施形態において、耳状部４８は、サイドプレート４２に対して実質的に垂直に接続されている。
【００３３】
取付部材３６は、ブラケット３４の第１端部４３ａに隣接して配置されている。取付部材３６は、ブラケット３４の空間４５内に位置する取付部３７を有する。好ましくは、ブラケット装置２８は、ブラケット３４に付属するベース３５を更に有する。例えば、ベース３５は、ブラケット３４のエンドプレート４４に付属してもよい。取付部材３６は、ベース３５の後部５２ａに隣接する。好ましくは、取付部材３６はエンドプレート４４を貫通し、エンドプレート４４はベース３５の後部５２ａの側に位置する。本実施形態において、ブラケット装置２８は二つの取付部材３６を有し、二つの取付部材３６は互いに離間している。好ましくは、ブラケット３４は、係合機構５４を更に有する。本実施形態において、係合機構５４はフックであってもよく、係合機構５４は二つの取付部材３６の間に位置する。そのうえに、ベース３５は、図２及び図３に示される配置に限られない。本発明の他の実施形態において、ベース３５は、プレート形状又は他の形状であってもよい。
【００３４】
係止部材３８は、ブラケット３４上に配置されている。具体的には、係止部材３８は、係止部３９及び操作部４０を有する。ここで、係止部材３８の係止部３９は、ブラケット３４の空間４５内の係止位置Ｐ１に位置するように保持されている。係止部材３８の係止部３９は、係止部材３８の操作部４０の操作に応じて、係止位置Ｐ１から離れるように動かされることができる。係止部材３８は、ブラケット３４のサイドプレート４２に移動可能に取り付けられている。例えば、係止部材３８は、回動部材５６によって二つの耳状部４８に回動可能に取り付けられている。好ましくは、ブラケット装置２８は、弾性部材５８を更に有する。弾性部材５８は、接続部５０と係止部材３８との間に配置される。弾性部材５８は、弾性片又はバネであってもよい。係止部材３８は、弾性部材５８によって与えられる弾性力に応じて、（係止位置Ｐ１のような）第１位置Ｐ１に保持される。好ましくは、係止部材３８の係止部３９には、ブラケット３４の係合機構５４に対応する穴又はスロットが形成されている。他方では、本発明の他の実施形態において、係合機構５４は穴又はスロットであってもよく、係止部３９は、係合機構５４に対応するフックであってもよいが、本発明はそれらに限定されない。係止部材３８が第１位置Ｐ１に位置している場合に、係止部材３８の係止部３９は、ブラケット３４の係合機構５４に当接するか又は係合するように構成されている。
【００３５】
図２、図３及び図４に示されるように、操作部４０は、直接的又は間接的に係止部３９に接続されてもよい。本実施形態において、操作部４０及び係止部３９は、一つのピースに一体的に形成されている。好ましくは、ブラケット装置２８は、操作部４０にはめられたスリーブ４１を更に有する。
【００３６】
図５に示されるように、ブラケット装置２８は、第１レール２６に付属している。例えば、ブラケット装置２８は、リベット止め、ネジ止め、溶接又は係合によって第１レール２６に付属してもよい。第１レール２６は、ブラケット装置２８を介して第１ポスト２４ａに取り付けられてもよい。具体的には、第１ポスト２４ａは、複数の穴を有する。本実施形態において、第１ポスト２４ａは、第１の穴６２ａ、第２の穴６２ｂ、及び第３の穴６２ｃを有する。ここで、二つの取付部材３６は、それぞれ、第１ポスト２４ａの第１の穴６２ａ及び第２の穴６２ｂを貫通するように構成されており、係合機構５４は、第３の穴６２ｃを貫通するように構成されている。他方では、係止部材３８が第１位置Ｐ１（又は係止位置）に位置している場合に、係止部材３８の阻止部６４は、第１ポスト２４ａを係止するために、第１ポスト２４ａに面している。そのような配置によれば、ブラケット装置２８は、第１ポスト２４ａに取り付けられ、係止されることができる。
【００３７】
図６に示されるように、係止部材３８は、開口４６に対応する。操作部４０の前端は、距離Ｌだけベース３５の後部５２ａから離れている。本実施形態において、操作部４０の前端は、第１ポスト２４ａの前にあるように、ベース３５の前部５２ｂに向かって距離Ｌだけ延ばされている。例えば、操作部４０の前端は、ベース３５に隣接し且つベース３５の後部５２ａとベース３５の前部５２ｂとの間に位置している。
【００３８】
取付部材３６及び係合機構５４のそれぞれが、第１ポスト２４ａの後ろにあるように、第１ポスト２４ａの対応する穴６２ａ，６２ｂ及び６２ｃ（穴６２ａのみが図６に示されている）を貫通し、且つ係止部材３８が、弾性部材５８によって提供される弾性力に応じて第１位置Ｐ１（又は係止位置）に保持されている場合に、係止部材３８の阻止部６４は、第１ポスト２４ａを係止するために、第１ポスト２４ａ又はブラケット３４のエンドプレート４４に面している。そのうえに、係止部材３８が第１位置Ｐ１（又は係止位置）に位置している場合に、係合機構５４は、係止部３９に当接するか又は係合するように構成されている。
【００３９】
図７に示されるように、使用者が第１ポスト２４ａの前に立つ場合に（図１も参照されたい。使用者は第１ポスト２４ａ又は支えられる物体３２の前に立ってもよい）、使用者は、係止部材３８をブラケット３４のサイドプレート４２に対して第１位置Ｐ１から（係止解除位置のような）第２位置Ｐ２に動かすために、例えば操作部４０又はスリーブ４１に力Ｆを加えて、簡便に操作をすることができる。換言すれば、係止部材３８の操作部４０は、ブラケット３４の空間４５内に位置しない。ここで、係止部材３８が第２位置Ｐ２に位置している場合に、係止部材３８の阻止部６４は、第１ポスト２４ａ、又はブラケット３４のエンドプレート４４に面しない。すなわち、ブラケット装置２８は、第１ポスト２４ａに対して係止解除状態にある。
【００４０】
図８に示されるように、ブラケット装置２８が係止解除状態にある場合に、使用者は、更に第１ポスト２４ａから第１レール２６を取り外すために、方向Ｄに沿った力を加えて、第１ポスト２４ａの対応する穴６２ａ，６２ｂ，６２ｃ（穴６２ａのみが図８に示されている）から離れるように取付部材３６及び係合機構５４を動かすことができる。
【００４１】
図９及び図１０は、本発明の他の実施形態による、操作部２００及び係止部２０２の配置を示す図である。ここで、操作部２００及び係止部２０２は、一つのピースに一体的に形成されていない。具体的には、操作部２００及び係止部２０２は、第１構造２０４及び第２構造２０６のような対応する構造によって互いに接続されている。ここで、第１構造２０４及び第２構造２０６は、突き出た構造と窪んだ構造との組み合わせ又はフックと穴（スロット）との組み合わせであってもよい。あるいは、操作部２００及び係止部２０２は、溶接、ネジ止め又は接着によって互いに接続されてもよい。
【００４２】
当業者は、本発明の教示を保ちながら、装置及び方法の多数の変更及び代替が成され得ることを、容易に観察するであろう。したがって、以上の開示は、添付の特許請求の範囲の境界によってのみ限定されると解釈されるべきである。
【図１】
2018008014.tif 000003
【図２】
2018008014.tif 000004
【図３】
2018008014.tif 000005
【図４】
2018008014.tif 000006
【図５】
2018008014.tif 000007
【図６】
2018008014.tif 000008
【図７】
2018008014.tif 000009
【図８】
2018008014.tif 000010
【図９】
2018008014.tif 000011
【図１０】
2018008014.tif 000012